(57)【特許請求の範囲】
【請求項１】
映像表示装置であって、
前記映像表示装置は、表示部、映像信号処理部、輝度情報取得部、記憶部、および表示制御部を有し、
前記表示部は、放送信号に含まれる映像信号に基づいて映像を表示し、
前記映像信号処理部は、前記映像信号に対する信号処理として、前記表示部に表示される映像の輝度の調整を実行し、前記映像の輝度の調整に輝度調整値を用い、
前記輝度情報取得部は、前記表示部に表示される映像の輝度に関する情報として、前記輝度調整値を取得し、
前記記憶部は、輝度が調整された映像が視聴者に見易い映像か否かを判断するための判断基準値を記憶し、
前記表示制御部は、前記放送信号に含まれる番組情報に基づいて、文字を含む電子番組ガイドを映像として前記表示部に表示させ、前記輝度情報取得部により取得された前記輝度調整値が前記判断基準値よりも小さいとき、前記輝度情報取得部により取得された前記輝度調整値が前記判断基準値以上のときと比較して、前記表示部に表示される文字の大きさを大きくする
映像表示装置。
【発明の詳細な説明】
【技術分野】
【０００１】
本発明は、電子番組ガイドを表示部に表示させる映像表示装置に関する。
【背景技術】
【０００２】
一般に、映像表示装置であるテレビ受信装置は、放送信号に含まれる映像信号に基づいて映像を表示する表示部を備えている。また、特に、地上波デジタル放送に対応したテレビ受信装置においては、放送信号に含まれる番組情報に基づいて、電子番組ガイド（ＥＰＧ：Electronic Program Guide）を映像として表示部に表示させることが知られている。
【０００３】
電子番組ガイドを映像として表示部に表示させる映像表示装置は、電子番組ガイドを映像として表示部に表示させる表示制御部を備えている。電子番組ガイドは、番組選択の補助を目的として、放送される番組の情報を有しており、例えば、放送される番組の情報を、放送局と放送時間とによって分類してまとめた電子番組表である。従って、表示部に映像として表示される電子番組ガイドには、番組の情報を表す文字が含まれている。
【０００４】
上記のような、表示部と表示制御部とを備え、表示部に映像として表示される電子番組ガイドに文字が含まれる映像表示装置においては、表示部に表示される前記文字の大きさを調整することが知られている（例えば、特許文献１参照）。
【０００５】
より具体的には、映像表示装置である番組表表示装置は、放送信号に含まれる映像信号に基づいて映像を表示する表示部である表示手段と、電子番組ガイドを映像として表示手段に表示させる表示制御部として、電子番組ガイドである電子番組表を作成する作成手段及び電子番組表の文字サイズを変更可能とする設定手段とを具備している。このような構成により、表示された電子番組表の文字サイズを変更可能とするようにしたため、電子番組表を不特定多数の視聴者（特許文献１ではユーザー）にとってそれぞれ見易い形態で効率的に表示することができるようになると、特許文献１に記載されている。
【特許文献１】特開２００６−９３９９２号公報
【発明の開示】
【発明が解決しようとする課題】
【０００６】
しかしながら、特許文献１に記載される番組表表示装置においては、手動で、電子番組表の文字サイズを変更する必要があった。このため、視聴者が文字の大きさを調整しない限り、文字の大きさが調整されずに電子番組ガイドが視聴者に提示される。従って、視聴者にとって見易い形態で電子番組ガイドが表示されない場合があるという問題があった。
【０００７】
本発明は、こうした実情に鑑みてなされたものであり、その目的は、電子番組ガイドに含まれる文字の大きさを自動的に調整して、視聴者にとって見易い形態で電子番組ガイドを表示することができる映像表示装置を提供することにある。
【課題を解決するための手段】
【０００８】
本手段は「映像表示装置であって、前記映像表示装置は、表示部、映像信号処理部、輝度情報取得部、記憶部、および表示制御部を有し、前記表示部は、放送信号に含まれる映像信号に基づいて映像を表示し、前記映像信号処理部は、前記映像信号に対する信号処理として、前記表示部に表示される映像の輝度の調整を実行し、前記映像の輝度の調整に輝度調整値を用い、前記輝度情報取得部は、前記表示部に表示される映像の輝度に関する情報として、前記輝度調整値を取得し、前記記憶部は、輝度が調整された映像が視聴者に見易い映像か否かを判断するための判断基準値を記憶し、前記表示制御部は、前記放送信号に含まれる番組情報に基づいて、文字を含む電子番組ガイドを映像として前記表示部に表示させ、前記輝度情報取得部により取得された前記輝度調整値が前記判断基準値よりも小さいとき、前記輝度情報取得部により取得された前記輝度調整値が前記判断基準値以上のときと比較して、前記表示部に表示される文字の大きさを大きくする映像表示装置」を含む。
【０００９】
同構成によれば、表示部に表示される映像の輝度に関する情報を取得する輝度情報取得部を備え、表示制御部は、輝度情報取得部によって取得された輝度に関する情報に基づき、表示部に表示される文字の大きさを調整する。このため、表示部に表示される映像の輝度が小さく、視聴者が映像を見易くないような輝度である場合に、輝度に関する情報に基づいて文字の大きさが調整された電子番組ガイドを視聴者に提示することができる。従って、電子番組ガイドに含まれる文字の大きさを自動的に調整して、視聴者にとって見易い形態で電子番組ガイドを表示することができる。
同構成によれば、映像の輝度調整をする際に用いられる輝度調整値と、記憶部に記憶された判断基準値とを比較することで、簡単な構成で、輝度調整された映像が視聴者にとって見易いか否かを判断することができる。また、輝度調整値が判断基準値よりも小さい場合は、輝度調整値が判断基準値以上である場合に比し、表示部に表示される文字の大きさを大きくする。このため、輝度調整値が判断基準値よりも小さい場合は、電子番組ガイドに含まれる文字の大きさを自動的に大きくして視認性を向上することで、視聴者にとって見易い形態で電子番組ガイドを表示することができる。
【発明の効果】
【００２０】
本発明によれば、電子番組ガイドに含まれる文字の大きさを自動的に調整して、視聴者にとって見易い形態で電子番組ガイドを表示することができる。
【発明を実施するための最良の形態】
【００２１】
（第１の実施形態）
以下に、本発明の具体的な実施形態について図１〜図５を参照しながら説明する。図１に示すように、映像表示装置であるテレビ受信装置１は、放送信号を受信して、放送信号に含まれる映像信号に基づいて、表示部であるディスプレイ７が映像を表示するとともに、放送信号に含まれる音声信号に基づいて、スピーカー９が音声を再生するものである。
【００２２】
テレビ受信装置１は、デジタル放送信号（以下、単に「放送信号」という。）を受信するアンテナＡに接続されたチューナー２と、チューナー２から出力された信号を復調するとともに誤り符号訂正を行う復調部３と、復調部３により復調された信号のスクランブルを解除するデスクランブル部４とを備えている。
【００２３】
また、テレビ受信装置１は、スクランブルが解除された信号を、映像データ、音声データ、番組情報等に分離する多重分離部５と、映像データを含む映像信号に対して信号処理を施す映像信号処理部６と、ディスプレイ７と、音声データを含む音声信号に対して信号処理を施す音声信号処理部８と、スピーカー９とを備えている。
【００２４】
さらに、テレビ受信装置１は、多重分離部５によって信号から分離された番組情報に基づいて、電子番組ガイド（ＥＰＧ：Electronic Program Guide）をディスプレイ７に表示させる表示制御部１０を備えている。即ち、表示制御部１０は、放送信号に含まれる番組情報に基づいて、電子番組ガイドを映像としてディスプレイ７に表示させる。
【００２５】
より具体的には、表示制御部１０は、番組情報を取得する番組情報取得部１０ａと、ＯＳＤ（On Screen Display）処理によってディスプレイ７に電子番組ガイドを表示させるためのＯＳＤ信号を生成するＯＳＤ信号生成部１０ｂと、輝度情報取得部１０ｃと、記憶部１０ｄと、輝度調整値比較部１０ｅとから構成されている。表示制御部１０は、ＯＳＤ信号生成部１０ｂによって生成されたＯＳＤ信号を、映像信号処理部６へ出力することにより、電子番組ガイドを映像としてディスプレイ７に表示させる。
【００２６】
そして、上述のように構成されたテレビ受信装置１は、チューナー２や映像信号処理部６や音声信号処理部８や表示制御部１０等の各部を制御するための制御部１１を備えており、制御部１１は、例えば、ＲＯＭ（不図示）に記憶されたプログラムに基づいて、ＲＡＭ（不図示）を用いて演算処理を行う演算処理装置である。制御部１１は、リモコン信号受信部１２により受信されたリモコン装置（不図示）からのリモコン信号に基づいて、チューナー２や映像信号処理部６や音声信号処理部８や表示制御部１０等の各部へ、制御するための制御信号を出力する。
【００２７】
次に、放送信号に含まれる映像信号及び音声信号に基づいて、ディスプレイ７及びスピーカー９により映像や音声を出力するテレビ受信装置１の動作について、図２を参照しながら説明する。
【００２８】
まず、アンテナＡが、放送局や衛星から送信された放送信号を受信し、受信した放送信号がアンテナＡからチューナー２へ入力される（ステップＳ１）。放送信号には映像信号や音声信号が含まれており、特に、デジタル放送においては、放送信号には、映像データや音声データや番組情報等のデータが、ＭＰＥＧ−２  Ｓｙｓｔｅｍｓに準拠して多重化されている。
【００２９】
次いで、チューナー２が、アンテナＡから入力された放送信号のうち、視聴者が指定したチャンネルに対応する放送信号を選択して、選択された放送信号を復調部３へ出力する（ステップＳ２）。即ち、チューナー２は、放送信号のうち特定周波数の放送信号を取り出して、復調部３へと出力する。
【００３０】
次いで、復調部３が、チューナー２により選択された放送信号をＡ／Ｄ変換して復調するとともに、伝送路で発生する誤り符号訂正を行い、復調及び誤り符号訂正を行った信号をデスクランブル部４へ出力する（ステップＳ３）。
【００３１】
次いで、デスクランブル部４が、信号にスクランブルが施されている場合に、ＩＣカード（不図示）に記憶されたデスクランブルキー（解除鍵）を用いて、スクランブルを解除する処理を行い、スクランブルが施されていないＴＳ（Transport Stream）形式の信号を多重分離部５へ出力する（ステップＳ４）。
【００３２】
次いで、多重分離部５が、入力されたＴＳ形式の信号から、映像データ、音声データ、番組情報である番組配列情報（ＳＩ：Service Information）等を分離して、分離したデータを映像信号処理部６や音声信号処理部８や表示制御部１０へ出力する（ステップＳ５）。より具体的には、分離された映像データは、映像信号として映像信号処理部６へ出力されるとともに、分離された音声データは、音声信号として音声信号処理部８へ出力される。また、分離された番組情報は、表示制御部１０へ出力される。
【００３３】
次いで、映像信号処理部６が、映像データを含む映像信号に対して種々の信号処理を施す（ステップＳ６）。例えば、映像信号処理部６は、ＭＰＥＧ−２  Ｖｉｄｅｏ方式により圧縮符号化された映像データの復号化（即ち、デコード）や、映像信号処理部６へＯＳＤ信号が入力された場合にはＯＳＤ処理を行う。ＯＳＤ処理は、入力されたＯＳＤ信号に基づいて、ＯＳＤ信号により示される画像が、映像信号により示される映像よりも優先的にディスプレイ７に表示されるように、信号を合成する処理である。即ち、映像信号処理部６には、電子番組ガイドを表示させるためのＯＳＤ信号が入力されるため、映像信号処理部６は、映像信号が示す映像に電子番組ガイドを重ね合わせるように、映像信号にＯＳＤ信号を合成する信号処理を施す。
【００３４】
また、ステップＳ６において映像信号処理部６は、映像の輝度調整や、ディスプレイ７の解像度に応じたスケーリング等を行う信号処理を施す。映像の輝度調整をする際には、映像信号処理部６は、ＥＥＰＲＯＭ等のメモリ（不図示）に記憶されている輝度調整値を用いて、映像の輝度を調整する。例えば、輝度調整値が−１０であれば、映像信号処理部６は、映像を構成する画素が有する輝度を１０％低減させる処理を施し、輝度調整値が２０であれば、映像信号処理部６は、映像を構成する画素が有する輝度を２０％増加させる処理を施す。なお、輝度調整値は、リモコン装置等を用いてユーザーが設定可能なものであって、例えば、−３０〜３０の範囲内において設定可能である。
【００３５】
そして、映像信号処理部６によって種々の信号処理が施された映像信号が、ディスプレイ７へ出力されるとともに、ディスプレイ７が、映像信号に基づいて映像を表示する（ステップＳ７）。
【００３６】
また、音声信号処理部８は、音声データを含む音声信号に対して種々の信号処理を施す（ステップＳ８）。例えば、音声信号処理部８は、ＭＰＥＧ−２  ＡＡＣ方式により圧縮符号化された音声データの復号化（即ち、デコード）を行う。
【００３７】
そして、音声信号処理部８によって信号処理が施された音声信号が、スピーカー９へ出力されるとともに、スピーカー９が、音声信号に基づいて音声を再生する（ステップＳ９）。なお、ステップＳ６，Ｓ７と、ステップＳ８，Ｓ９とは、平行する動作である。
【００３８】
ここで、本実施形態においては、ディスプレイ７に表示される映像の輝度に関する情報を取得する輝度情報取得部１０ｃを備え、表示制御部１０は、輝度情報取得部１０ｃによって取得された輝度に関する情報に基づき、ディスプレイ７に表示される電子番組ガイドの文字の大きさを調整することに特徴がある。
【００３９】
以下、輝度情報取得部１０ｃによって取得された輝度に関する情報に基づき、ディスプレイ７に表示される文字の大きさを調整する表示制御部１０の動作について、図３〜図５を参照しながら説明する。
【００４０】
まず、リモコン信号受信部１２が、電子番組ガイドをディスプレイ７に表示するためのリモコン信号を受信して、制御部１１が、表示制御部１０を動作させる制御信号を出力する（ステップＳ１１）。
【００４１】
次いで、番組情報取得部１０ａが、多重分離部５によってＴＳ形式の信号から分離された番組情報である番組配列情報を取得して、取得した番組情報をＯＳＤ信号生成部へ出力する（ステップＳ１２）。なお、番組情報の取得に時間を費やさないように、番組情報取得部１０ａは、メモリ（不図示）を備え、多重分離部５によってＴＳ形式の信号から分離された番組情報を、そのメモリに蓄積するように取得しておくことが好ましい。
【００４２】
次いで、輝度情報取得部１０ｃが、ディスプレイ７に表示される映像の輝度に関する情報を取得して、取得した輝度に関する情報を輝度調整値比較部１０ｅへ出力する（ステップＳ１３）。本実施形態においては、輝度情報取得部１０ｃは、映像の輝度に関する情報として、ステップＳ６において映像の輝度調整をするために用いられる輝度調整値を映像信号処理部６から取得する。
【００４３】
次いで、輝度調整値比較部１０ｅが、ステップＳ１３において取得された輝度調整値と、メモリからなる記憶部１０ｄに予め記憶された判断基準値とを比較することで、電子番組ガイドが映像としてディスプレイ７に表示された場合に、輝度調整された映像が視聴者にとって見易いか否かを判断する（ステップＳ１４）。即ち、判断基準値は、輝度調整された電子番組ガイドの映像が視聴者にとって見易いか否かを判断するためのものであって、輝度調整値比較部１０ｅは、輝度調整値が、判断基準値（例えば、０）よりも小さければ、ディスプレイ７に表示される電子番組ガイドの映像が視聴者にとって見易くないと判断する。また、輝度調整値比較部１０ｅは、輝度調整値が、判断基準値以上であれば、ディスプレイ７に表示される電子番組ガイドの映像が視聴者にとって見易いと判断する。そして、その判断結果がＯＳＤ信号生成部１０ｂへ出力される。
【００４４】
そして、ステップＳ１４においてディスプレイ７に表示される電子番組ガイドの映像が視聴者にとって見易いと判断された場合は、ＯＳＤ信号生成部１０ｂは、第１の文字サイズで電子番組ガイドを生成して、生成した電子番組ガイドをディスプレイ７に表示させるためのＯＳＤ信号を、映像信号処理部６へ出力する（ステップＳ１５）。第１の文字サイズで生成された電子番組ガイドは、例えば、図４に示すような電子番組表である。
【００４５】
一方、ステップＳ１４においてディスプレイ７に表示される電子番組ガイドの映像が視聴者にとって見易くないと判断された場合は、ＯＳＤ信号生成部１０ｂは、第２の文字サイズで電子番組ガイドを生成して、生成した電子番組ガイドをディスプレイ７に表示させるためのＯＳＤ信号を、映像信号処理部６へ出力する（ステップＳ１６）。第２の文字サイズで生成された電子番組ガイドは、例えば、図５に示すような電子番組表であって、第２の文字サイズは、第１の文字サイズよりも大きい。従って、ステップＳ１６において生成される電子番組ガイドの文字の大きさは、ステップＳ１５において生成される電子番組ガイドの文字の大きさよりも大きい。
【００４６】
上述のようにして、輝度調整された電子番組ガイドの映像が視聴者にとって見易いか否かが判断されて、その判断結果に応じて異なる文字サイズで電子番組ガイドが生成されることにより、電子番組ガイドに含まれる文字の大きさが調整される。文字の大きさが調整された電子番組ガイドは、映像信号処理部６において、表示制御部１０（より具体的には、表示制御部１０のＯＳＤ信号生成部１０ｂ）により出力されたＯＳＤ信号を映像信号に合成する信号処理が施されることにより、ディスプレイ７に映像として表示される。
【００４７】
本実施形態のテレビ受信装置１によれば、以下のような効果を得ることができる。
（１）ディスプレイ７に表示される映像の輝度に関する情報（本実施形態においては、輝度調整値）を取得する輝度情報取得部１０ｃを備え、表示制御部１０は、輝度情報取得部１０ｃによって取得された輝度に関する情報に基づき、ディスプレイ７に表示される文字の大きさを調整する。このため、ディスプレイ７に表示される映像の輝度が小さく、視聴者が映像を見易くないような輝度である場合に、輝度に関する情報に基づいて文字の大きさが調整された電子番組ガイドを視聴者に提示することができる。従って、電子番組ガイドに含まれる文字の大きさを自動的に調整して、視聴者にとって見易い形態で電子番組ガイドを表示することができる。
【００４８】
（２）表示制御部１０は、輝度情報取得部１０ｃによって取得された輝度調整値と、記憶部１０ｄに記憶された判断基準値とを比較することで、簡単な構成で、輝度調整された電子番組ガイドの映像が視聴者にとって見易いか否かを判断することができる。また、輝度調整値が判断基準値よりも小さい場合は、輝度調整値が判断基準値以上である場合に比し、ディスプレイ７に表示される文字の大きさを大きくする。このため、輝度調整値が判断基準値よりも小さい場合は、電子番組ガイドに含まれる文字の大きさを自動的に大きくして視認性を向上することで、視聴者にとって見易い形態で電子番組ガイドを表示することができる。
【００４９】
（第２の実施形態）
以下に、本発明の第２の実施形態について図６、７を参照しながら説明する。なお、上記第１の実施形態と同一の構成については、同一の符号を示して、ここでは詳しい説明を省略する。また、放送信号に含まれる映像信号及び音声信号に基づいて、ディスプレイ７及びスピーカー９により映像や音声を出力するテレビ受信装置１の動作も、上記第１の実施形態と同じであるため、ここでは詳しい説明を省略する。
【００５０】
図６に示すように、本実施形態に係るテレビ受信装置１は、輝度情報取得部１０ｃに代えて照度センサ１０ｆを備え、さらに、輝度調整値比較部１０ｅに代えて照度比較部１０ｇを備えている。従って、本実施形態に係る表示制御部１０は、番組情報取得部１０ａと、ＯＳＤ信号生成部１０ｂと、照度センサ１０ｆと、記憶部１０ｄと、照度比較部１０ｇとから構成されている。
【００５１】
本実施形態においては、ディスプレイ７の周囲の明るさを計測するセンサである照度センサ１０ｆを備え、表示制御部１０は、照度センサ１０ｆによって計測された周囲の明るさに基づき、ディスプレイ７に表示される電子番組ガイドの文字の大きさを調整することに特徴がある。
【００５２】
以下、照度センサ１０ｆによって計測された周囲の明るさに基づき、ディスプレイ７に表示される文字の大きさを調整する表示制御部１０の動作について、図７を参照しながら説明する。
【００５３】
まず、リモコン信号受信部１２が、ステップＳ１１と同様に、電子番組ガイドをディスプレイ７に表示するためのリモコン信号を受信して、制御部１１が、表示制御部１０を動作させる制御信号を出力する（ステップＳ２１）。
【００５４】
次いで、番組情報取得部１０ａが、ステップＳ１２と同様に、多重分離部５によってＴＳ形式の信号から分離された番組情報である番組配列情報を取得して、取得した番組情報をＯＳＤ信号生成部へ出力する（ステップＳ２２）。
【００５５】
次いで、照度センサ１０ｆが、ディスプレイ７の周囲の明るさを計測して、計測した周囲の明るさを照度比較部１０ｇへ出力する（ステップＳ２３）。本実施形態においては、ディスプレイ７の周囲の明るさとして、照度センサ１０ｆが照度を計測する。
【００５６】
次いで、照度比較部１０ｇが、ステップＳ２３において計測された照度と、記憶部１０ｄに予め記憶された基準照度とを比較することで、電子番組ガイドが映像としてディスプレイ７に表示された場合に、ディスプレイ７の周囲の明るさが、視聴者にとって映像の見易い明るさであるか否かを判断する（ステップＳ２４）。即ち、基準照度は、周囲の明るさが、視聴者にとって映像の見易い明るさであるか否かを判断するためのものであって、照度比較部１０ｇは、計測された照度が、基準照度（例えば、１００ルクス）よりも小さければ、ディスプレイ７の周囲が暗く、視聴者にとって映像の見易くない周囲の明るさであると判断する。また、照度比較部１０ｇは、計測された照度が、基準照度以上であれば、ディスプレイ７の周囲が明るく、視聴者にとって映像の見易い周囲の明るさであると判断する。そして、その判断結果がＯＳＤ信号生成部１０ｂへ出力される。
【００５７】
そして、ステップＳ２４において、周囲の明るさが視聴者にとって映像の見易い明るさであると判断された場合は、ＯＳＤ信号生成部１０ｂは、第１の文字サイズで電子番組ガイドを生成して、生成した電子番組ガイドをディスプレイ７に表示させるためのＯＳＤ信号を、映像信号処理部６へ出力する（ステップＳ２５）。第１の文字サイズで生成された電子番組ガイドは、例えば、第１の実施形態と同様に、図４に示すような電子番組表である。
【００５８】
一方、ステップＳ２４において、周囲の明るさが視聴者にとって映像の見易くない明るさであると判断された場合は、ＯＳＤ信号生成部１０ｂは、第２の文字サイズで電子番組ガイドを生成して、生成した電子番組ガイドをディスプレイ７に表示させるためのＯＳＤ信号を、映像信号処理部６へ出力する（ステップＳ２６）。第２の文字サイズで生成された電子番組ガイドは、例えば、第１の実施形態と同様に、図５に示すような電子番組表である。従って、ステップＳ２６において生成される電子番組ガイドの文字の大きさは、ステップＳ２５において生成される電子番組ガイドの文字の大きさよりも大きい。
【００５９】
上述のようにして、周囲の明るさが視聴者にとって映像の見易い明るさであるか否かが判断されて、その判断結果に応じて異なる文字サイズで電子番組ガイドが生成されることにより、電子番組ガイドに含まれる文字の大きさが調整される。文字の大きさが調整された電子番組ガイドは、映像信号処理部６において、表示制御部１０（より具体的には、表示制御部１０のＯＳＤ信号生成部１０ｂ）により出力されたＯＳＤ信号を映像信号に合成する信号処理が施されることにより、ディスプレイ７に映像として表示される。
【００６０】
本実施形態のテレビ受信装置１によれば、以下のような効果を得ることができる。
（３）ディスプレイ７の周囲の明るさを計測する照度センサ１０ｆを備え、表示制御部１０は、照度センサ１０ｆによって計測された周囲の明るさに基づき、ディスプレイ７に表示される文字の大きさを調整する。このため、ディスプレイ７の周囲が暗く、視聴者が映像を見易くないような周囲の明るさである場合に、計測された周囲の明るさに基づいて文字の大きさが調整された電子番組ガイドを視聴者に提示することができる。従って、電子番組ガイドに含まれる文字の大きさを自動的に調整して、視聴者にとって見易い形態で電子番組ガイドを表示することができる。
【００６１】
（４）表示制御部１０は、照度センサ１０ｆによって計測された照度と、記憶部１０ｄに記憶された基準照度とを比較することで、簡単な構成で、ディスプレイ７の周囲の明るさが、視聴者にとって映像の見易い明るさであるか否かを判断することができる。また、ディスプレイ７の周囲の明るさである照度が基準照度よりも小さい場合は、ディスプレイ７の周囲の明るさである照度が基準照度以上である場合に比し、ディスプレイ７に表示される文字の大きさを大きくする。このため、ディスプレイ７の周囲の明るさである照度が基準照度よりも小さい場合は、電子番組ガイドに含まれる文字の大きさを自動的に大きくして視認性を向上することで、視聴者にとって見易い形態で電子番組ガイドを表示することができる。
【００６２】
（第３の実施形態）
以下に、本発明の第３の実施形態について図８〜図１１を参照しながら説明する。なお、上記第１の実施形態と同一の構成については、同一の符号を示して、ここでは詳しい説明を省略する。また、放送信号に含まれる映像信号及び音声信号に基づいて、ディスプレイ７及びスピーカー９により映像や音声を出力するテレビ受信装置１の動作も、上記第１の実施形態と同じであるため、ここでは詳しい説明を省略する。
【００６３】
図８に示すように、本実施形態に係るテレビ受信装置１の表示制御部１０は、番組情報取得部１０ａと、ＯＳＤ信号生成部１０ｂと、記憶部１０ｄと、放送される番組の放送時刻が電子番組ガイドの一覧性が低下する時間に含まれるか否かを判断して、番組情報の情報量を判断する番組情報量判断部１０ｈとから構成されている。
【００６４】
本実施形態においては、表示制御部１０は、放送される番組の放送時刻に応じて、ディスプレイ７に表示される電子番組ガイドの文字の大きさを調整することに特徴がある。以下、放送される番組の放送時刻に応じて、ディスプレイ７に表示される文字の大きさを調整する表示制御部１０の動作について、図９を参照しながら説明する。
【００６５】
まず、リモコン信号受信部１２が、ステップＳ１１，Ｓ２１と同様に、電子番組ガイドをディスプレイ７に表示するためのリモコン信号を受信して、制御部１１が、表示制御部１０を動作させる制御信号を出力する（ステップＳ３１）。
【００６６】
次いで、番組情報取得部１０ａが、ステップＳ１２，Ｓ２２と同様に、多重分離部５によってＴＳ形式の信号から分離された番組情報である番組配列情報を取得して、取得した番組情報をＯＳＤ信号生成部１０ｂへ出力する（ステップＳ３２）。また、番組情報取得部１０ａは、取得した番組情報に含まれる番組の放送時刻を、番組情報量判断部１０ｈへ出力する。
【００６７】
次いで、番組情報量判断部１０ｈが、番組情報に含まれる番組の放送時刻が、記憶部１０ｄに予め記憶された電子番組ガイドの一覧性が低下する時間に含まれるか否かを判断して、番組情報の情報量が多いか否かを判断する（ステップＳ３３）。記憶部１０ｄに記憶された電子番組ガイドの一覧性が低下する時間は、ゴールデンタイム等の、番組情報が「番組の概要」や「出演者」について詳細な情報を有する場合が多い時間であって、例えば、１９時〜２３時の時間である。即ち、このような電子番組ガイドの一覧性が低下する時間は、他の時間（例えば、深夜の時間）よりも番組情報の多い時間である。そして、その判断結果がＯＳＤ信号生成部１０ｂへ出力される。
【００６８】
そして、ステップＳ３３において番組の放送時刻が、電子番組ガイドの一覧性が低下する時間に含まれると判断された場合は、ＯＳＤ信号生成部１０ｂは、第１の文字サイズで電子番組ガイドを生成して、生成した電子番組ガイドをディスプレイ７に表示させるためのＯＳＤ信号を、映像信号処理部６へ出力する（ステップＳ３４）。第１の文字サイズで生成された電子番組ガイドは、例えば、図１０に示すような電子番組表である。
【００６９】
一方、ステップＳ３３において番組の放送時刻が、電子番組ガイドの一覧性が低下する時間に含まれないと判断された場合は、ＯＳＤ信号生成部１０ｂは、第２の文字サイズで電子番組ガイドを生成して、生成した電子番組ガイドをディスプレイ７に表示させるためのＯＳＤ信号を、映像信号処理部６へ出力する（ステップＳ３５）。第２の文字サイズで生成された電子番組ガイドは、例えば、図１１に示すような電子番組表である。従って、ステップＳ３４において生成される電子番組ガイドの文字の大きさは、ステップＳ３５において生成される電子番組ガイドに含まれている文字の大きさよりも小さい。
【００７０】
上述のようにして、電子番組ガイドに含まれる番組の放送時間が、所定の時間に含まれるか否かが判断され、その判断結果に応じて異なる文字サイズで電子番組ガイドが生成されることにより、電子番組ガイドに含まれる文字の大きさが調整される。
【００７１】
本実施形態のテレビ受信装置１によれば、以下のような効果を得ることができる。
（５）表示制御部１０は、放送される番組の放送時刻に応じて、ディスプレイ７に表示される文字の大きさを調整する。このため、放送時刻に応じて電子番組ガイドに含まれる番組の情報量が変動する場合であっても、放送時刻に応じて文字の大きさが調整された電子番組ガイドを視聴者に提示することができる。従って、電子番組ガイドに含まれる文字の大きさを自動的に調整して、視聴者にとって見易い形態で電子番組ガイドを表示することができる。
【００７２】
（６）番組の放送時刻が電子番組ガイドの一覧性が低下する時間に含まれる場合は、表示制御部１０は、番組の放送時刻が電子番組ガイドの一覧性が低下する時間に含まれない場合に比し、ディスプレイ７に表示される文字の大きさを小さくする。このため、番組の放送時刻が電子番組ガイドの一覧性が低下する時間に含まれる場合は、電子番組ガイドに含まれる文字の大きさを自動的に小さくして一覧性を向上することで、視聴者にとって見易い形態で電子番組ガイドを表示することができる。
【００７３】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよい。
【００７４】
・上記第１の実施形態においては、輝度情報取得部１０ｃは、映像の輝度調整をするために用いられる輝度調整値を、輝度に関する情報として取得していたが、輝度に関する情報として、その他のものを取得するように構成してもよい。例えば、輝度情報取得部１０ｃが、輝度に関する情報として、輝度調整された後の映像の輝度を取得するようにしてもよい。このようにしても、表示制御部１０が、輝度に関する情報に基づき、ディスプレイ７に表示される文字の大きさを調整することができれば、上記（１）の効果を得ることができる。
【００７５】
・上記第２の実施形態においては、ディスプレイ７の周囲の明るさを計測するセンサは、照度センサ１０ｆであったが、ディスプレイ７の周囲の明るさを計測することができれば照度センサ１０ｆではないその他のセンサであってもよい。このようにしても、表示制御部１０が、ディスプレイ７の周囲の明るさに基づき、ディスプレイ７に表示される文字の大きさを調整することができれば、上記（３）の効果を得ることができる。
【００７６】
・上記第３の実施形態においては、番組の放送時刻が、電子番組ガイドの一覧性が低下する時間に含まれる場合は、表示制御部１０は、番組の放送時刻が、電子番組ガイドの一覧性が低下する時間に含まれない場合に比し、文字の大きさを小さくしていたが、このように構成しなくてもよい。例えば、番組の放送時刻が、電子番組ガイドの視認性を向上させたい時間に含まれる場合は、表示制御部１０は、番組の放送時刻が、電子番組ガイドの視認性を向上させたい時間に含まれない場合に比し、文字の大きさを大きくしてもよい。このようにしても上記（５）の効果を得ることができる。
【００７７】
・上記実施形態においては、映像表示装置はテレビ受信装置１であったが、放送信号に含まれる番組情報に基づいて、電子番組ガイドを映像として表示させる表示制御部１０を備えるものであれば、どのようなものであってもよい。
【図面の簡単な説明】
【００７８】
【図１】本発明の第１の実施形態に係る映像表示装置の構成を示すブロック図。
【図２】本発明の実施形態に係るテレビ受信装置の動作を説明するためのフローチャート。
【図３】本発明の第１の実施形態に係る表示制御部について、電子番組ガイドに含まれる文字の大きさを調整する際の動作について説明するためのフローチャート。
【図４】表示部に表示される電子番組ガイドを説明するための図。
【図５】表示部に表示される電子番組ガイドを説明するための図。
【図６】本発明の第２の実施形態に係る映像表示装置の構成を示すブロック図。
【図７】本発明の第２の実施形態に係る表示制御部について、電子番組ガイドに含まれる文字の大きさを調整する際の動作について説明するためのフローチャート。
【図８】本発明の第３の実施形態に係る映像表示装置の構成を示すブロック図。
【図９】本発明の第３の実施形態に係る表示制御部について、電子番組ガイドに含まれる文字の大きさを調整する際の動作について説明するためのフローチャート。
【図１０】表示部に表示される電子番組ガイドを説明するための図。
【図１１】表示部に表示される電子番組ガイドを説明するための図。
【符号の説明】
【００７９】
Ａ…アンテナ、１…テレビ受信装置（映像表示装置）、２…チューナー、３…復調部、４…デスクランブル部、５…多重分離部、６…映像信号処理部、７…ディスプレイ（表示部）、８…音声信号処理部、９…スピーカー、１０…表示制御部、１０ａ…番組情報取得部、１０ｂ…ＯＳＤ信号生成部、１０ｃ…輝度情報取得部、１０ｄ…記憶部、１０ｅ…輝度調整値比較部、１０ｆ…照度センサ（センサ）、１０ｇ…照度比較部、１０ｈ…番組情報量判断部、１１…制御部。
【図１】
0005147506.tif 000002
【図２】
0005147506.tif 000003
【図３】
0005147506.tif 000004
【図４】
0005147506.tif 000005
【図５】
0005147506.tif 000006
【図６】
0005147506.tif 000007
【図７】
0005147506.tif 000008
【図８】
0005147506.tif 000009
【図９】
0005147506.tif 000010
【図１０】
0005147506.tif 000011
【図１１】
0005147506.tif 000012